(57)【特許請求の範囲】
【請求項１】
シャッタ地板と補助地板の間を中間板で仕切って二つの羽根室を構成し、それらの三つの板部材の被写体光路用開口部の少なくとも一つによって露光開口を形成しており、前記シャッタ地板と補助地板のうち一方の板部材と前記中間板との間の羽根室に配置されている後羽根と前記シャッタ地板と補助地板のうち他方の板部材と前記中間板との間の羽根室に配置されている先羽根は、細長い複数枚の羽根を有していて、露光作動時には、先羽根が複数枚の羽根を展開状態から重畳状態にして露光開口を開き、後羽根が複数枚の羽根を重畳状態から展開状態にして露光開口を閉じるカメラ用フォーカルプレンシャッタにおいて、
前記一方の板部材は、前記露光作動方向側にある露光開口形成辺から該一方の板部材の外形形状形成縁までの中間部に押えピンを立設していて、前記中間板を該押えピンによって押し前記他方の板部材側に撓ませており、
前記中間板は、前記露光開口形成辺の外側になる領域の幅が、前記押えピンによって押されているところで一番狭く、該幅を規制する二つの規制縁は、その一番狭いところから前記露光開口形成辺の両端方向にいくにしたがい、露光開口側の規制縁が前記露光開口形成辺の両端に徐々に近付き、他方の規制縁が前記一方の板部材の前記外形形状形成縁に徐々に近付いていくように形成されていることを特徴とするカメラ用フォーカルプレンシャッタ。
【請求項２】
前記中間板は、前記露光開口形成辺の外側となる領域のうち一番狭いところの幅が、前記押えピンの断面の、前記露光開口形成辺とは直交する方向の最大寸法と略同じであることを特徴とする請求項１に記載のカメラ用フォーカルプレンシャッタ。
【請求項３】
前記中間板は、前記露光開口形成辺の外側となる領域のうちの一番狭いところが、前記露光開口形成辺とは直交する方向に形成されたスリットによって分離されていて、該スリットの両側となる部位を、前記押えピンによって押されているようにしたことを特徴とする請求項１又は２に記載のカメラ用フォーカルプレンシャッタ。
【請求項４】
シャッタ地板と補助地板の間を中間板で仕切って二つの羽根室を構成し、それらの三つの板部材の被写体光路用開口部の少なくとも一つによって露光開口を形成しており、前記シャッタ地板と補助地板のうち一方の板部材と前記中間板との間の羽根室に配置されている後羽根と前記シャッタ地板と補助地板のうち他方の板部材と前記中間板との間の羽根室に配置されている先羽根は、細長い複数枚の羽根を有していて、露光作動時には、先羽根が複数枚の羽根を展開状態から重畳状態にして露光開口を開き、後羽根が複数枚の羽根を重畳状態から展開状態にして露光開口を閉じるカメラ用フォーカルプレンシャッタにおいて、
前記一方の板部材は、前記露光作動方向側にある露光開口形成辺から該一方の板部材の外形形状形成縁までの中間部に押えピンを立設していて、前記中間板を該押えピンによって押し前記他方の板部材側に撓ませており、
前記中間板は、前記露光作動方向側にある前記被写体光路用開口部の縁が略Ｖ字状に形成されていて、前記露光作動方向側にある外形形状形成縁が前記露光開口形成辺と略平行に形成されており、さらに、前記露光開口形成辺の外側となる領域が前記Ｖ字状の頂点から前記露光開口形成辺とは直交する方向に形成されたスリットによって分離されており、該スリットの両側の部位が、前記押えピンによって押されているようにしたことを特徴とするカメラ用フォーカルプレンシャッタ。
【請求項５】
前記他方の板部材は、前記露光開口形成辺に対向する第２の露光開口形成辺から該他方の板部材の外形形状形成縁までの中間部に前記中間板に向けて第２の押えピンを立設しており、
前記中間板は、前記第２の露光開口形成辺の外側となる領域が、前記第２の露光開口形成辺とは直交する方向に形成されたスリットで分離されていて、該スリットの両側部位が、前記第２の押えピンに押されて前記一方の板部材側に撓まされているようにしたことを特徴とする請求項１乃至４のいずれかに記載のカメラ用フォーカルプレンシャッタ。
【発明の詳細な説明】
【技術分野】
【０００１】
本発明は、複数枚の羽根を有しているシャッタ羽根を二つ備えたカメラ用フォーカルプレンシャッタに関する。
【背景技術】
【０００２】
周知のように、各々が複数枚の羽根を有するシャッタ羽根を二つ備えているカメラ用フォーカルプレンシャッタは、シャッタ地板（シャッタ基板などともいう）と補助地板（カバー板などともいう）との間を中間板（仕切り板などともいう）で仕切ることによって二つの羽根室を構成し、それらの羽根室内に、二つのシャッタ羽根を個別に配置するようにしている。そして、それらの３枚の板部材の各々には、被写体光路用の開口部が相互に重なるようにして形成されており、それらの開口部の一つ又は複数によって、長方形を横長にした露光開口が形成されている。
【０００３】
また、各々のシャッタ羽根は、いずれも、露光開口の一方の側方領域、即ち露光開口を形成している長方形の一方の短辺の外側となる領域において、シャッタ地板に対して一端を個々に枢着されている二つのアームと、それらのアームの両方に対して、それらの自由端に向けて順に枢支された細長い短冊状をした複数枚の羽根とからなっており、撮影時にアームが回転すると、各々の複数枚の羽根は、それらの幅方向の直線状の端縁が、露光開口の長辺との平行性を保ちながら作動するように構成されている。そして、各々のシャッタ羽根は、露光開口から退いているときは、複数枚の羽根の重なり量を大きくした重畳状態にさせられ、露光開口を覆っているときは、複数枚の羽根の重なり量を小さくした展開状態にさせられる。
【０００４】
また、二つのシャッタ羽根が露光作動を行うときは、先ず、展開状態にある方のシャッタ羽根（以下、先羽根という）が作動を開始させられ、複数枚の羽根の重なり量を大きくしながら露光開口を開いてゆき、続いて、重畳状態にある方のシャッタ羽根（以下、後羽根という）が同じ方向へ作動を開始させられ、複数枚の羽根の重なり量を小さくしながら露光開口を覆っていくことにより、先羽根の最後部を走行していく羽根（以下、スリット形成羽根という）と、後羽根の最前部を走行していく羽根（以下、スリット形成羽根という）との間に形成されたスリットにより、撮像面を一方から他方へ連続的に露光していくようにしているが、その露光作動を行うときの駆動源としては、ばねを用いるものと、モータを用いるものとが知られている。
【０００５】
そして、ばねを駆動源としたものとしては、上記の先羽根のアームの一つに駆動ピンを連結させた駆動部材（以下、先羽根用駆動部材という）を、駆動ばね（以下、先羽根用駆動ばねという）の付勢力によって回転させるようにし、上記の後羽根のアームの一つに駆動ピンを連結させた駆動部材（以下、後羽根用駆動部材という）を、駆動ばね（以下、後羽根用駆動ばねという）の付勢力によって回転させるように構成しているのが普通であるが、周知のように、そのような構成のフォーカルプレンシャッタには、先羽根用駆動部材と後羽根用駆動部材とを露光作動開始直前の状態に保持しておくための構成の違いによって、ダイレクトタイプと言われているものと、係止タイプと言われているものとがある。
【０００６】
また、このような、ばねを駆動源として露光作動を行うようにしたフォーカルプレンシャッタの中には、ダイレクトタイプの場合であっても係止タイプの場合であっても、撮影前には、後羽根だけではなく、先羽根も重畳状態にして、露光開口を全開にしておき、撮影対象とする被写体像を、撮影用の撮像素子を介してモニタで観察可能にし、撮影に際してレリーズボタンを押すと、先羽根を重畳状態から展開状態にして露光開口を閉じさせておいてから、上記のようにして露光作動を行わせるものが知られているが、下記の特許文献１には、そのように構成したダイレクトタイプのフォーカルプレンシャッタが記載されている。
【０００７】
他方、モータを駆動源としたものは、第１のモータの回転子と一体化されている出力ピン（駆動ピン）を先羽根のアームの一つに連結させ、第２のモータの回転子と一体化されている出力ピン（駆動ピン）を後羽根のアームの一つに連結させたものが知られており、下記の特許文献２には、そのように構成されたフォーカルプレンシャッタが、第２実施例として記載されている。
【０００８】
そして、そのような構成をしたフォーカルプレンシャッタの場合には、上記のような、ばねを駆動源として露光作動を行うようにしたものの場合と同様に、撮影後直ちにセット作動を行わせ、撮影に際しては、直ちに、先羽根を展開状態から重畳状態に作動させ、続いて後羽根を重畳状態から展開状態に作動させるようにすることも可能であるが、上記の特許文献１に記載されているフォーカルプレンシャッタのように、撮影前には、先羽根と後羽根の両方を重畳状態にして露光開口を全開にし、撮影用の撮像素子を介して被写体像をモニタで観察することを可能にしておき、撮影に際してレリーズボタンを押すと、先羽根を展開状態にして露光開口を閉じさせておいてから、先ず先羽根に露光作動を開始させ、次に後羽根に露光作動を開始させることも可能である。
【０００９】
このように、二つのシャッタ羽根を備えたフォーカルプレンシャッタの場合には、採用されるカメラの仕様によって、二つのシャッタ羽根に種々の異なる作動をさせることが要求される。そのため、二つのシャッタ羽根の駆動装置は、それらの仕様に対応して異なったものになるが、二つのシャッタ羽根自体の基本構成と配置は殆ど同じである。そして、このような二つのシャッタ羽根に対しては、露光作動時にはもちろんであるが、それ以外の作動時においても、高速で安定した作動の行われることが要求されている。
【００１０】
ところが、各々のシャッタ羽根は、上記のように、二つのアームと、それらに枢支された細長い短冊状の複数枚の羽根とで構成されていて、なお且つ、それらの複数枚の羽根は、軽量化を図るために、いずれも薄い材料で製作されているため、重畳状態から展開状態に作動させられながら露光開口を覆っていくときには、各羽根の長さ方向の中央部の両面を支える（抑える）ものがなくなって、走行中の各羽根に撓みを生じさせ、その中央部を羽根の面とは直交する方向へ膨らませてしまうことがある。そして、一番先頭を走っているスリット形成羽根の長さ方向の略中央部に形成された膨らみ部が、露光開口の閉鎖時に、中間板に形成された被写体光路用の開口部の縁に衝突してしまい、シャッタ羽根の作動に乱れ（バウンドや傾きなど）を生じさせたり、羽根を損傷させたりするような事態が発生してしまう。
【００１１】
そこで、そのような事態の発生を防止するために、露光開口の二つの長辺に対応して中間板に形成されている被写体光路用開口部の縁を、いずれも略Ｖ字状に形成するようにしたり、さらにその上に、露光作動時において、一方のシャッタ羽根が複数枚の羽根を展開させながら走行していく方向の縁には、そのようなＶ字形状の頂点から羽根の走行方向に延びているようにして所定の長さの溝を形成したりすることが、下記の特許文献３に記載されている。
【００１２】
ところが、近年のカメラ用フォーカルプレンシャッタの中には、シャッタ羽根の高速化に伴う複数枚の羽根のさらなる改良によって、中間板の開口部の縁を、特許文献３に記載されているようなＶ字形状にしたり、そのＶ字の頂点に溝を形成したりするだけでは済まなくなってきて、平板状に製作されている中間板を、これまでのように、シャッタ地板に対して平板状のままにして組み付けるのではなく、露光作動時においてシャッタ羽根が複数枚の羽根を展開させながら走行していく方向の領域が、最初から、羽根の膨らむ方向に僅かに膨らみを持った円弧面となるようにして組み付けたものも考えられるようになってきた。
【００１３】
本発明は、このように、二つのシャッタ羽根を備えた種々の構成のフォーカルプレンシャッタであって、シャッタ羽根が、重畳状態から展開状態に作動する過程において、先頭を走っているスリット形成羽根が、中間板に形成された被写体光路用開口部の走行方向の縁に衝突し、そのシャッタ羽根の作動に乱れが生じないようにしたり、シャッタ羽根が破損されたりしないようにしたカメラ用フォーカルプレンシャッタの改良に関するものである。
【先行技術文献】
【特許文献】
【００１４】
【特許文献１】特開２００３−２２２９２８号公報
【特許文献２】特開２００４−２６４４６８号公報
【特許文献３】実用新案登録第２５８９０６２号公報
【発明の概要】
【発明が解決しようとする課題】
【００１５】
上記のように、二つのシャッタ羽根を備えた各種のフォーカルプレンシャッタの場合には、これまでにも、中間板の形状や組み付け構成について改良が重ねられてきた。ところが、最近では、特にプロカメラマンやカメラマニアに愛用されるような高級カメラ用フォーカルプレンシャッタの場合には、シャッタ羽根の高速作動がこれまで以上に一段と安定して得られることを要求されるようになってきた。そのため、シャッタ羽根が重畳状態から展開状態に作動する過程で先頭を走っているスリット形成羽根は、そのスリット形成縁の端面が、中間板に形成された被写体光路用開口部の走行方向の縁の端面に対し、局部的にでも触れることがないようにしたり、仮に僅かに触れるようなことがあったとしても、殆ど作動には乱れを生じさせない構成にする必要に迫られている。
【００１６】
このような要求に応えるためには、スリット形成羽根の走り込んでいく方向にある中間板の領域が、羽根の膨らみ状態に対応して柔軟に変形してくれるようにすることが好ましい。そこで、そのようにするための一つの方法としては、中間板をこれまで以上に薄くすることが考えられる。しかしながら、中間板の厚さは、これまでにも、可能な範囲でかなり薄くしてきているため、これまで以上に薄くしてしまうと、俗に言う腰が弱くなってしまって、シャッタ羽根の作動開始直後から発生することが知られている、作動方向とは異なる方向へ働く不規則な力を抑えることができなくなってしまい、かえって全作動工程における各羽根のガタツキを大きくしてしまうという問題が生じてしまう。
【００１７】
本発明は、このような問題点を解決するためになされたものであり、その目的とするところは、シャッタ地板と補助地板の間を中間板で仕切って構成した二つの羽根室に、二つのシャッタ羽根を一つずつ配置したカメラ用フォーカルプレンシャッタであって、シャッタ羽根が重畳状態から展開状態になる方向へ作動している過程において、スリット形成羽根の先端縁が、中間板に形成された被写体光路用開口部の縁に局部的に接触するようなことがあったとしても、そのスリット形成羽根が従来よりも安定して作動し得るようにした、特に高級カメラに適用して有効なカメラ用フォーカルプレンシャッタを提供することである。
【課題を解決するための手段】
【００１８】
上記の目的を達成するために、本発明は、シャッタ地板と補助地板の間を中間板で仕切って二つの羽根室を構成し、それらの三つの板部材の被写体光路用開口部の少なくとも一つによって露光開口を形成しており、前記シャッタ地板と補助地板のうち一方の板部材と前記中間板との間の羽根室に配置されている後羽根と前記シャッタ地板と補助地板のうち他方の板部材と前記中間板との間の羽根室に配置されている先羽根は、細長い複数枚の羽根を有していて、露光作動時には、先羽根が複数枚の羽根を展開状態から重畳状態にして露光開口を開き、後羽根が複数枚の羽根を重畳状態から展開状態にして露光開口を閉じるカメラ用フォーカルプレンシャッタにおいて、前記一方の板部材は、前記露光作動方向側にある露光開口形成辺から該一方の板部材の外形形状形成縁までの中間部に押えピンを立設していて、前記中間板を該押えピンによって押し前記他方の板部材側に撓ませており、前記中間板は、前記露光開口形成辺の外側になる領域の幅が、前記押えピンによって押されているところで一番狭く、該幅を規制する二つの規制縁は、その一番狭いところから前記露光開口形成辺の両端方向にいくにしたがい、露光開口側の規制縁が前記露光開口形成辺の両端に徐々に近付き、他方の規制縁が前記一方の板部材の前記外形形状形成縁に徐々に近付いていくように形成されているようにする。
【００１９】
その場合、前記中間板は、前記露光開口形成辺の外側となる領域のうち一番狭いところの幅が、前記押えピンの断面の、前記露光開口形成辺とは直交する方向の最大寸法と略同じであるようにしたり、前記露光開口形成辺の外側となる領域のうちの一番狭いところが、前記露光開口形成辺とは直交する方向に形成されたスリットによって分離されていて、該スリットの両側となる部位を、前記押えピンによって押されているようにしたりすると、一層好ましくなる。
【００２０】
また、上記の目的を達成するために、本発明は、シャッタ地板と補助地板の間を中間板で仕切って二つの羽根室を構成し、それらの三つの板部材の被写体光路用開口部の少なくとも一つによって露光開口を形成しており、前記シャッタ地板と補助地板のうち一方の板部材と前記中間板との間の羽根室に配置されている後羽根と前記シャッタ地板と補助地板のうち他方の板部材と前記中間板との間の羽根室に配置されている先羽根は、細長い複数枚の羽根を有していて、露光作動時には、先羽根が複数枚の羽根を展開状態から重畳状態にして露光開口を開き、後羽根が複数枚の羽根を重畳状態から展開状態にして露光開口を閉じるカメラ用フォーカルプレンシャッタにおいて、前記一方の板部材は、前記露光作動方向側にある露光開口形成辺から該一方の板部材の外形形状形成縁までの中間部に押えピンを立設していて、前記中間板を該押えピンによって押し前記他方の板部材側に撓ませており、前記中間板は、前記露光作動方向側にある前記被写体光路用開口部の縁が略Ｖ字状に形成されていて、前記露光作動方向側にある外形形状形成縁が前記露光開口形成辺と略平行に形成されており、さらに、前記露光開口形成辺の外側となる領域が前記Ｖ字状の頂点から前記露光開口形成辺とは直交する方向に形成されたスリットによって分離されており、該スリットの両側の部位が、前記押えピンによって押されているようにする。
【００２１】
更に、前記他方の板部材は、前記露光開口形成辺に対向する第２の露光開口形成辺から該他方の板部材の外形形状形成縁までの中間部に前記中間板に向けて第２の押えピンを立設しており、前記中間板は、前記第２の露光開口形成辺の外側となる領域が、前記第２の露光開口形成辺とは直交する方向に形成されたスリットで分離されていて、該スリットの両側部位が、前記第２の押えピンに押されて前記一方の板部材側に撓まされているようにしてもよい。
【発明の効果】
【００２２】
本発明は、シャッタ地板と補助地板の間を中間板で仕切って二つの羽根室を構成し、それらの羽根室に二つのシャッタ羽根を一つずつ配置しているカメラ用フォーカルプレンシャッタにおいて、露光作動時にシャッタ羽根が作動していく側の中間板の領域が、それらのシャッタ羽根の作動で生じる不規則な力に対応して従来よりも好適に撓み得るようにしたので、重畳状態から展開状態まで作動する後羽根のスリット形成羽根の一部がその領域に走り込んでいくとき、スリット形成羽根が撓んでいて中間板に形成されている被写体光路用開口部の縁に接触したとしても、従来よりも作動に乱れを生じることがなく、一層安定して作動を終了させることが可能になる。
【図面の簡単な説明】
【００２３】
【図１】実施例１を被写体側から見た平面図であって、露光作動を開始する直前の状態を示したものである。
【図２】図１に示されているシャッタ地板を透かして見た平面図であって、後羽根が露光作動を終了した状態を示したものである。
【図３】図１の要部断面図である。
【図４】実施例２を被写体側から見た平面図であって、露光作動を開始する直前の状態を示したものである。
【図５】図４に示されているシャッタ地板を透かして見た平面図であって、後羽根が露光作動を終了した状態を示したものである。
【図６】図４の要部断面図である。
【図７】実施例３を被写体側から見た平面図であって、露光作動を開始する直前の状態を示したものである。
【図８】図７に示されているシャッタ地板を透かして見た平面図であって、後羽根が露光作動を終了した状態を示したものである。
【発明を実施するための形態】
【００２４】
本発明の実施の形態を、三つの実施例によって説明する。上記したように、本発明は、駆動装置の異なる種々のフォーカルプレンシャッタに適用することが可能であるが、これらの実施例については、いずれも、二つのシャッタ羽根が、ばねを駆動源として露光作動を行い、露光作動終了後には直ちにセット作動をさせられるようにした、従来から良く知られているオーソドックスな作動を行うフォーカルプレンシャッタの場合で説明する。尚、図１〜図３は実施例１を説明するためのものであり、図４〜図６は実施例２を説明するためのものであり、図７及び図８は実施例３を説明するためのものである。
【実施例１】
【００２５】
図１〜図３を用いて実施例１を説明する。尚、図１は、カメラに内蔵されたとき、本実施例のフォーカルプレンシャッタを、被写体側から見て示した平面図であって、露光作動を開始する直前の状態を示したものであるが、駆動装置については周知であるため、具体的な構成の図示が省略されている。また、図２は、図１に示されているシャッタ地板を透かして見た平面図であって、後羽根が露光作動を終了した状態を示したものであるが、図１に示されているシャッタ地板の必要箇所と、シャッタ地板に取り付けられている二つの緩衝部材についてだけは二点鎖線で示してある。更に、図３は、図１の要部断面図であるが、この図面は、露光開口の下方部を水平に切断し、上方を見て右側を部分的に示したものである。
【００２６】
そこで先ず、本実施例の構成を説明する。図１において、シャッタ地板１の略中央部には、長方形を横長にした被写体光路用の開口部１ａが形成されている。また、周知のように、シャッタ地板１の背面側には、所定の間隔を空けて、中間板２と補助地板３が順に取り付けられている。そして、本実施例の場合には、シャッタ地板１と中間板２との間を後羽根の羽根室にし、中間板２と補助地板３との間を先羽根の羽根室にしている。しかしながら、本発明は、そのような羽根室の配置構成に限定されず、シャッタ地板１と中間板２の間を先羽根の羽根室にし、中間板２と補助地板３の間を後羽根の羽根室にしてもよく、そのようにする場合のことについては後述する。
【００２７】
シャッタ地板１と同じような板部材である中間板２と補助地板３にも、上記の開口部１ａとは形状や大きさの異なる被写体光路用の開口部２ａ，３ａが形成されている。それらのうち、中間板２の開口部２ａは、シャッタ地板１の開口部１ａより大きいが、その特異な形状については、中間板２の全体形状と共に後述する。また、補助地板３の開口部３ａは、図１では分かりにくいが、図２から分かるように、シャッタ地板１の開口部１ａと同様に、長方形をしている。しかしながら、実際には、開口部１ａよりも若干大きい。そのため、本実施例の場合には、被写体光を通過させるためのシャッタユニットとしての露光開口は、開口部１ａによって決められていることになるが、周知のように、それらの三つの開口部の二つ以上によって横長の長方形に合成されることもあり、本発明は、そのように構成することを妨げるものではない。
【００２８】
尚、本実施例の説明においては、本実施例のフォーカルプレンシャッタがカメラに内蔵されたとき、シャッタ地板１が被写体側を向いて配置されていることを前提にするが、周知のように、デジタルカメラに内蔵される場合には、補助地板３を被写体に向けて配置される場合もある。また、周知のように、中間板２の厚さは、シャッタ地板１よりかなり薄い。それに対して、補助地板３の場合には、シャッタ地板１ほどではないにしても、かなり厚くすることがあり、本発明の場合にもそのようにすることを妨げるものではないが、本実施例の場合には、図３に示されているように薄くて、中間板２と殆ど同じ厚さをしている。
【００２９】
このような三つの板部材のうち、シャッタ地板１には、開口部１ａの左側の領域に、円弧状の二つの長孔１ｂ，１ｃが形成されており、それらの下方端部には、平面形状が略Ｃ字状をした周知のゴム製の緩衝部材４，５が取り付けられている。また、中間板２は、露光開口よりも左側における領域が、シャッタ地板１の場合よりは小さくて、長孔１ｂ，１ｃが形成されている領域とは重ならないようになっているが、補助地板３の場合は、全体的にシャッタ地板１と略同じ大きさをしているため、周知の後述する理由によって、それらの長孔１ｂ，１ｃと重なるところには、略同じ形状をした図示していない長孔が形成されている。
【００３０】
図１において、シャッタ地板１の表面側には軸１ｄ，１ｅ，１ｆが立設されている。また、背面側には、軸１ｇ，１ｈ，１ｉ，１ｊ，１ｋ，１ｍ，１ｎ，１ｐが立設されているほか、押えピン１ｑが設けられている。それらのうち、背面側の軸１ｇ，１ｉは、表面側の軸１ｄ，１ｅと同心上に立設されている。また、背面側に立設されている軸１ｋの根元には、所定の厚さで環状をした受け部１ｒが形成されており、そこに、中間板２の左上方部が補助地板３側から接触し得るようになっている。尚、図２においては、軸１ｄ，１ｅ，１ｆ，１ｇ，１ｈ，１ｉ，１ｊ，１ｍ，１ｎ，１ｐの図示を省略しているが、軸１ｋと、押えピン１ｑと、受け部１ｒとは、シャッタ地板１の外形や、長孔１ｂ，１ｃや、緩衝部材４，５と同様に、二点鎖線で示されている。
【００３１】
上記のうち、シャッタ地板１の表面側に立設されている軸１ｄ，１ｅには、図示していない先羽根用駆動部材と後羽根用駆動部材が回転可能に取り付けられていて、図示していない先羽根用駆動ばねと後羽根用駆動ばねによって、それぞれ時計方向へ回転するように付勢されている。また、シャッタ地板１の表面側に立設されている軸１ｆには、カメラ本体側の部材の作動に伴って往復回転する図示していないセット部材が回転可能に取り付けられている。尚、これらの構成は、周知であるため図示を省略したが、例えば、特開２００８−４６５３３号公報に記載されている構成などが、その典型例である。
【００３２】
そして、それらの先羽根用駆動部材と後羽根用駆動部材とは、各々、シャッタ地板１側に駆動ピンを有していて、それらをシャッタ地板１の円弧状の長孔１ｂ，１ｃに貫通させ、先端を、補助地板３に形成された上記の図示していない円弧状の長孔に挿入させているが、図１及び図２においては、そのような先羽根用駆動部材の駆動ピン６と後羽根用駆動部材の駆動ピン７だけを、ハッチングを付けて示してある。尚、それらの駆動部材は、図１に示された状態においては、各々の駆動ばねの付勢力に抗して反時計方向へ回転させられた状態にあって、それらの時計方向への回転は、周知のように、係止タイプのフォーカルプレンシャッタの場合には、図示していない各々の係止部材によって係止され、ダイレクトタイプのフォーカルプレンシャッタの場合には、上記のセット部材によって抑止されていることになる。
【００３３】
シャッタ地板１の背面側に立設されている軸１ｋ，１ｍ，１ｎ，１ｐには、それぞれ所定の空間を空けて、中間板２と補助地板３が取り付けられている。そして、それらの取付け方は、中間板２の場合には、周知のようにして、左上隅を除く三つの隅に形成された孔を、軸１ｍ，１ｎ，１ｐに対して、それらの軸方向へ移動可能に嵌合させているだけである。
【００３４】
また、補助地板３の場合も、周知のようにして、軸１ｋ，１ｍ，１ｎ，１ｐに取り付けられている。即ち、軸１ｎ，１ｐの先端近傍の周面には全周にわたってリング状の溝が形成されており、補助地板３には、それらに対応するところに、大小の孔をつなげたような鍵穴状の孔が横長にして形成されている。更に、軸１ｋ，１ｍの先端面には、ねじ孔が形成されており、補助地板３には、それらに対応するところに、孔が形成されている。そこで先ず、鍵穴状の孔の大きいところを軸１ｎ，１ｐに嵌合させてから、補助地板３を左方向へ移動させ、鍵穴状の孔の小さいところの縁を、軸１ｎ，１ｐのリング状の溝に挿入させる。その後、補助地板３は二つのねじによって、軸１ｋ，１ｍの先端面に取り付けられている。そして、軸１ｍ，１ｐには、中間板２と補助地板３の間に、図３に示されているような間座８が、各々嵌められている。
【００３５】
そこで次に、このようにして取り付けられている中間板２の形状と取付け状態を説明する。開口部２ａの左側における中間板２の外形形状、即ち露光開口の左側となる中間板２の外形形状は、上記したように、シャッタ地板１の長孔１ｂ，１ｃとは重ならないようにするために複雑な形状をしている。また、露光開口の左側の短辺に対応している開口部２ａの縁は、全体として直線状であるが、下方の一部だけが左側へ膨らんだ曲線状に形成されている。更に、開口部２ａの右側における中間板２の外形形状、及び露光開口の右側の短辺に対応している開口部２ａの縁は、いずれも直線状に形成されている。そして、これらの形状は、周知である。
【００３６】
それに対して、本実施例の中間板２は、シャッタ地板１の開口部１ａ、即ち露光開口の上方における領域と、露光開口の下方における領域の形状が特異な形状をしている。そこで先ず、露光開口の上方になる領域、即ち本実施例の場合には、後述する後羽根が重畳状態となって格納される側の領域の形状を説明する。本実施例の中間板２においては、露光開口の上側の長辺に対応している開口部２ａの縁は、特許文献３に記載されているようにＶ字状をしている。また、この縁との間に、露光開口の上方領域を形成している中間板２の外形形状形成縁２ｂは、従来のように、露光開口の長辺に対して略平行に形成されているのではなく、露光開口に向けて凸状となる円弧状に形成されている。
【００３７】
次に、後述する後羽根のスリット形成羽根が露光作動の最後に走り込んでいく側の露光開口形成辺の外側の領域、即ち本実施例の場合には露光開口の下側の長辺の外側になる領域の形状を説明する。露光開口の下側の長辺に対応している中間板２の縁２ｃは、曲線によって、特許文献３に記載されている縁よりも大きなＶ字状となるように形成されている。また、その縁２ｃとの間に、露光開口の下方領域を形成している中間板２の外形形状形成縁２ｄは、従来のように、露光開口の長辺に対して略平行に形成されているのではなく、上記の縁２ｃと対称的な形状に形成されている。そのため、それらの縁２ｃ,２ｄによって形成されている上下方向の幅は、両方のＶ字状の頂点間で最も狭くなっており、その一番狭い幅のところで、シャッタ地板１に設けられた押えピン１ｑに接触させられている。
【００３８】
即ち、露光開口の下方領域の上下方向の幅を規制している二つの縁２ｃ，２ｄは、その幅の一番狭いところから、露光開口の長辺の左端方向と右端方向へ各々向かうにしたがって、一方の縁２ｃがその長辺の両端に徐々に近付いてゆき、他方の縁２ｄがシャッタ地板１や補助地板３の下方の外形形状形成縁に徐々に近付いていくように、曲線で形成されている。そして、図３に示されているように、本実施例の中間板２は、その一番狭いところを押えピン１ｑに押され、補助地板３側に撓まされているようにして、シャッタ地板１に取り付けられている。
【００３９】
尚、本実施例の場合には、押えピン１ｑの頂面がフラットに形成されているが、本発明は、そのような形状に限定されず球面に形成されていても構わない。また、本実施例の押えピン１ｑは円柱状をしているが、例えば四角柱にしても差し支えなく、その場合には、頂面を円弧面にしても構わない。更に、本実施例の場合には、中間板２の下方領域の一番狭いところの幅寸法が、押えピン１ｑの、露光開口の長辺とは直交する方向の寸法（直径）と略同じになっている。しかしながら、一番狭いところの幅寸法を、押えピン１ｑによって撓まされ易い範囲で、もっと大きくしても差し支えない。
【００４０】
次に、先羽根と後羽根の構成を説明する。先ず、中間板２と補助地板３との間に配置されている先羽根は、シャッタ地板１の背面側に立設された上記の二つの軸１ｇ，１ｈに一端を枢着されている二つのアーム９，１０と、それらの自由端に向けて順に枢支された４枚の羽根１１，１２，１３，１４とで構成されていて、それらの最先端に枢支された羽根１４をスリット形成羽根としている。そして、アーム９は、周知の孔に、先羽根用駆動部材の駆動ピン６を嵌合させている。また、アーム９，１０と羽根１１，１２，１３，１４との重なり関係は、アーム９，１０が最もシャッタ補助地板３側に存在し、羽根１１が最も中間板２側に存在している。
【００４１】
また、シャッタ地板１と中間板２との間に配置されている後羽根は、シャッタ地板１の背面側に立設された上記の二つの軸１ｉ，１ｊに一端を枢着されている二つのアーム１５，１６と、それらの自由端に向けて順に枢支された４枚の羽根１７，１８，１９，２０とで構成されていて、それらの最先端に枢支された羽根２０をスリット形成羽根としている。そして、アーム１５は、周知の孔に、後羽根用駆動部材の駆動ピン７を嵌合させている。また、アーム１５，１６と羽根１７，１８，１９，２０との重なり関係は、アーム１５，１６が最もシャッタ地板１側に存在し、羽根１７が最も中間板２側に存在している。
【００４２】
次に、本実施例の作動を説明する。図１は、露光作動の開始直前の状態を示したものである。そのため、先羽根の４枚の羽根１１〜１４は展開状態となって露光開口、即ち本実施例の場合には開口部１ａを覆っており、後羽根の４枚の羽根１７〜２０は重畳状態となって開口部１ａの上方領域に格納されている。このような状態において、カメラのレリーズボタンが押されると、軸１ｄ，１ｅに対して回転可能に取り付けられている図示していない周知の先羽根用駆動部材と後羽根用駆動部材とが、所定のタイミングで順に回転可能にさせられる。
【００４３】
そこで先ず、先羽根用駆動部材が回転可能にさせられると、先羽根用駆動部材は、図示していない周知の先羽根用駆動ばねの付勢力によって時計方向へ回転させられる。それによって、駆動ピン６がアーム９を時計方向へ回転させるので、先羽根の４枚の羽根１１〜１４は、隣接する羽根同士の重なりを大きくしつつ開口部１ａの下方へ作動し、スリット形成羽根１４の上端縁によって、開口部１ａを開いていく。そして、周知のように、被写体が暗い場合やフラッシュ撮影をする場合は、先羽根の４枚の羽根１１〜１４が開口部１ａを全開にしてから、後羽根用駆動部材が時計方向へ回転させられるが、本実施例の作動説明は、被写体が明るくてフラッシュを使用しない場合で説明する。
【００４４】
上記のように、先羽根用駆動部材が時計方向の回転を開始した後、所定時間が経過すると、後羽根用駆動部材が回転可能になって、図示していない周知の後羽根用駆動ばねの付勢力によって時計方向へ回転する。それによって、駆動ピン７がアーム１５を時計方向へ回転させるので、後羽根の４枚の羽根１７〜２０は、隣接する羽根同士の重なりを小さくしつつ開口部１ａ内へ作動してゆき、スリット形成羽根２０の下端縁によって、開口部１ａを上方から閉じていく。そのため、それ以後は、先羽根のスリット形成羽根１４と後羽根のスリット形成羽根２０の間に形成されたスリットにより、撮像素子の撮像面を上方から下方に向けて露光していく。
【００４５】
ところで、本実施例の場合には、露光開口の上方における中間板２の外形形状が従来とは異なっている。即ち、本実施例の中間板２は、既に説明したように、後羽根の４枚の羽根１７〜２０が重畳状態にさせられて格納される側の外形形状形成縁２ｂが、露光開口、即ち開口部１ａ側に向けて凸状となる円弧状になるように形成されている。そのため、図１に示された状態においては、後羽根の４枚の羽根１７〜２０は、それらの羽根の長さ方向の略中央部において、中間板２との重なり幅が最も小さくなっている。そこで、本実施例の中間板２が何故このような形状をしているのかを、ここで説明しておく。
【００４６】
本実施例のように、シャッタ地板１と中間板２との間に後羽根が配置され、中間板２と補助地板３の間に先羽根が配置されている場合には、周知のように、シャッタ地板１と中間板２との間は、後羽根の４枚の羽根１７〜２０が重畳状態になるところで最も大きな間隔を必要とするし、中間板２と補助地板３との間では、先羽根の４枚の羽根１１〜１４が重畳状態になるところで最も大きな間隔を必要とする。即ち、本実施例の場合には、シャッタ地板１と中間板２の間の羽根室は、開口部１ａの上方において最も大きな間隔を必要とするし、中間板２と補助地板３の間の羽根室は、開口部１ａの下方において最も大きな間隔を必要とする。
【００４７】
ところが、最近では、カメラの小型化に伴い、シャッタ地板１と補助地板３との間隔を少しでも小さくすることが要求されているため、重畳状態になっているときには、先羽根の４枚の羽根１１〜１４は、中間板２と補助地板３によって比較的強く挟まれ、後羽根の４枚の羽根１７〜２０は、シャッタ地板１と中間板２とによって比較的強く挟まれるようになっている。そのため、先羽根の４枚の羽根１１〜１４の場合も、後羽根の４枚の羽根１７〜２０の場合にも、重畳状態から展開状態に作動するときには、従来よりも大きな摩擦抵抗力に抗して作動を開始させる必要がある。
【００４８】
このような状況下において、本実施例の場合には、先羽根の４枚の羽根１１〜１４が、重畳状態から展開状態に作動させられるのは、セット作動を行うときである。そのため、先羽根の場合には、その作動開始のタイミングや、そのときにおけるスリット形成羽根の姿勢が多少不安定になったとしても、撮影自体には特に大きな問題を生じさせることがない。
【００４９】
ところが、後羽根の４枚の羽根１７〜２０が、重畳状態から展開状態に作動するのは、露光作動を行うときである。そのため、羽根１７〜２０の相互間の摩擦抵抗力や、スリット形成羽根２０とシャッタ地板１との間の摩擦抵抗力や、羽根１７と中間板２との間の摩擦抵抗力が大きいと、部品加工や組立加工上での僅かな差異によって、作動開始のタイミングが不安定になったり、スリット形成羽根２０が若干傾いて作動を開始したりしてしまうようになる。その結果、特に高速で撮影する場合には、露光時間が安定して得られなくなったり、露光むらを発生させたりして、極めて大きな問題になる。そこで、本実施例の場合には、重畳状態における後羽根の羽根１７と中間板２との接触面積を、全体構成上からみて効率的に小さくするために、中間板２の外形形状形成縁２ｂを円弧状にしている。
【００５０】
つまり、中間板２の上方両端の位置は、シャッタ地板１に対する取付けの都合や、その取付け部が羽根の作動に干渉しないようにするために、従来どおりのままにしており、その上で外形形状形成縁２ｂを円弧状にしたのは、羽根１７と中間板２との接触面積を小さくして摩擦抵抗力を小さくすることにより、間接的にスリット形成羽根２０の作動開始を円滑且つ安定したものにすると共に、作動を開始するとき、スリット形成羽根２０に左右方向の傾きが生じにくくなるように配慮したものである。尚、本実施例においては、外形形状形成縁２ｂを円弧状に形成しているが、露光開口に向けて全体として凸状になる形状に形成されていれば、円弧状でなくても同等の効果は得られる。
【００５１】
ここで、先羽根と後羽根による露光作動の説明に戻る。本実施例における先羽根と後羽根は、上記のようにして、所定の間隔のスリットを形成して、撮像素子の撮像面を露光していくが、先羽根の４枚の羽根１１〜１４の場合には、上記のように隣接する羽根同士の重なりを大きくしていくため、徐々に撓みにくくなって開口部１ａの下方位置へ格納されていく。そして、スリット形成羽根１４の上端縁が開口部１ａから退いた直後に、先羽根用駆動部材の駆動ピン６が緩衝部材４に当接することによって停止させられる。
【００５２】
他方、後羽根の４枚の羽根１７〜２０は、上記のように隣接する羽根同士の重なりを小さくして開口部１ａ内に進入していくため、徐々に撓み易くなってゆく。しかも、その場合には、アーム１５，１６に対する４枚の羽根１７〜２０の配置関係から、４枚の羽根１７〜２０は、それらの長さ方向の略中央部が中間板２側に膨らむように撓まされる。そのため、露光作動の最終段階においてスリット形成羽根２０のスリット形成縁側の一部が走り込んでいく方の中間板２の縁が、露光開口の長辺と平行に形成されていると、その縁の端面にスリット形成羽根２０のスリット形成縁の端面が衝突してしまうことがある。
【００５３】
ところが、本実施例の中間板２は、露光開口の下方になる領域が、上記のような形状に形成されていて、予め押えピン１ｑによって、一番狭い幅の撓み易いところを補助地板３側に押され、円弧面となるようにして組み付けられているため、スリット形成羽根２０が上記のように膨らんでも、開口部２ａの縁２ｃの端面には衝突することがなく、また仮に衝突したとしても露光作動には全く影響を与えず、しかもその衝突によってスリット形成羽根２０を破損させてしまうことが全くない。そして、後羽根の露光作動は、その直後に、後羽根用駆動部材の駆動ピン７が緩衝部材５に当接することによって停止させられる。その状態が、図２に示されている状態である。
【００５４】
その後、図２に示された状態において、撮像情報が撮像素子から画像処理回路を介して記憶装置に記憶されると、直ちにセット作動が開始されるが、そのセット作動は周知のようにして行われるので、簡単に説明する。上記したように、図１に示されているシャッタ地板１の軸１ｆには、図示していない周知のセット部材が回転可能に取り付けられており、そのセット部材は、上記のようにして撮影が終了すると、図示していないカメラ本体側の部材によって初期位置から時計方向へ回転させられる。それによって、先ず、上記の先羽根用駆動部材が先羽根用駆動ばねの付勢力に抗して反時計方向へ回転を開始させられ、続いて、上記の後羽根用駆動部材が後羽根用駆動ばねの付勢力に抗して反時計方向へ回転を開始させられる。
【００５５】
そこで先ず、先羽根用駆動部材が反時計方向へ回転を開始すると、図２において、駆動ピン６がアーム９を反時計方向へ回転させるので、開口部１ａの下方位置に格納されていた先羽根の４枚の羽根１１〜１４が、隣接する羽根同士の重なり量を小さくしつつ、スリット形成羽根１４を先頭にして上方へ作動させられていく。そして、先羽根のスリット形成羽根１４と後羽根のスリット形成羽根２０の重なりが所定量に達すると、上記の図示していないセット部材が、後羽根用駆動部材を後羽根用駆動ばねの付勢力に抗して、反時計方向へ回転させ始める。そのため、駆動ピン７がアーム１５を反時計方向へ回転させるので、開口部１ａを覆っていた後羽根の４枚の羽根１７〜２０が、隣接する羽根同士の重なり量を大きくしつつ、上方へ作動させられていく。
【００５６】
その結果、それ以後は、先羽根と後羽根は、スリット形成羽根同士の重なり量を好適に保ちながら作動を続けてゆくが、先羽根の４枚の羽根１１〜１４が展開状態となって開口部１ａを覆い、後羽根の４枚の羽根１７〜２０が重畳状態となって開口部１ａの上方位置に格納された段階になると、セット部材の回転は停止させられる。その後、係止タイプのフォーカルプレンシャッタの場合には、セット部材が初期位置へ復帰することによって、先羽根用駆動部材と後羽根用駆動部材は、各々の係止部材によって係止され、ダイレクトタイプのフォーカルプレンシャッタの場合には、先羽根用駆動部材と後羽根用駆動部材は、セット部材によって、各々の鉄片部材を各々の電磁石に接触した状態を維持される。図１は、実質的にそのときの状態を示したものである。
【００５７】
尚、本実施例は、図示していない周知の先羽根用駆動部材と後羽根用駆動部材が、露光作動時には、各々ばねを駆動源として回転されるように構成されたフォーカルプレンシャッタとして説明したが、本発明は、そのようなフォーカルプレンシャッタに限定されず、特許文献１に記載されているような、先羽根用駆動部材を二つの駆動部材で構成するようにしたフォーカルプレンシャッタにも適用できるし、特許文献２に第２実施例として記載されているような、モータを駆動源としたフォーカルプレンシャッタにも適用することができる。
【００５８】
更に、本実施例の場合には、シャッタ地板１と中間板２の間を後羽根の羽根室としているが、フォーカルプレンシャッタによっては、中間板２と補助地板３の間を後羽根の羽根室としたものもある。本発明は、そのような構成のフォーカルプレンシャッタにも適用可能であって、その場合には、本実施例より補助地板３を厚くして、その補助地板に本実施例の押えピン１ｑに相当する押えピンを設けるようにし、中間板２が、その押えピンによってシャッタ地板１側に撓まされているように構成すればよい。
【実施例２】
【００５９】
次に、図４〜図６を用いて実施例２を説明するが、これらの図面は、本実施例を、実施例１の説明に用いた図１〜図３と同様にして示したものである。そして、本実施例の構成は、中間板の形状が、上記の実施例１の場合と異なるだけである。そのため、これらの図４〜図６においては、中間板以外の部材及び部位に、図１〜図３の場合と同じ符号を付けておき、それらについての説明を省略する。また、本実施例の作動は、実施例１の場合と実質的に同じである。そのため、本実施例の作動説明には、実施例１の作動説明が援用される。
【００６０】
そこで、本実施例の中間板２２の形状と取付け構成を説明する。本実施例の中間板２２は、実施例１の中間板２の場合と同様に、左上隅を除く三つの隅に形成された孔を、シャッタ地板１の軸１ｍ，１ｎ，１ｐに対して、それらの軸方向へ移動可能に嵌合させており、左上隅の部位は、シャッタ地板１の受け部１ｒに対して、補助地板３側から接触し得るようになっている。また、露光開口の左側、右側及び上側の領域の形状は、実施例１の中間板２の場合と同じである。そのため、露光開口の上側における外形形状形成縁２２ｂは、実施例１の外形形状形成縁２ｂと同様に、露光開口に向けて凸状となる円弧状に形成されている。
【００６１】
しかしながら、本実施例の中間板２２は、露光開口の下側となる領域が、実施例１における中間板２の場合と異なる形状に形成されている。即ち、本実施例の場合には、露光開口の下側となる外形形状形成縁２２ｄが露光開口の長辺と平行になるように形成されている。また、露光開口の長辺に直交するようにして、開口部２２ａのＶ字状の縁２２ｃの頂点から外形形状形成縁２２ｄまで、スリット２２ｅが形成されている。そのため、露光開口の下側となる領域は、一番幅の狭いところが、スリット２２ｅによって分断された形状になっており、そのスリット２２ｅの両側となる部位が、シャッタ地板１の押えピン１ｑによって補助地板３側へ押されている。
【００６２】
そのため、本実施例の場合には、中間板２２の下方領域における一番幅の狭いところの寸法（スリット２２ｅの長さ寸法に相当）が、実施例１の中間板２の場合よりも非常に大きくなっているが、スリット２２ｅが形成されているために、実施例１の中間板２の場合と同等、もしくはそれ以上に、押えピン１ｑによって撓まされ易くなっている。尚、本発明は、実施例１の中間板２に、本実施例のようにしてスリットを形成することを妨げず、そうすることによって、一層撓まされ易い中間板が得られる。また、重複を避けるために説明をしなかったが、明らかに本実施例にもいえることは、実施例１の説明が本実施例にも適用される。
【実施例３】
【００６３】
次に、図７及び図８を用いて実施例３を説明するが、これらの図面は、本実施例を、実施例１の説明に用いた図１及び図２と同様にして、即ち実施例２の説明に用いた図４及び図５と同様にして示したものである。そして、本実施例の構成は、中間板の形状と取付け構成が、上記の実施例２の場合と異なるだけである。そのため、これらの図７及び図８においては、中間板以外の部材及び部位に、上記の各実施例の場合と同じ符号を付けておき、それらについての説明を省略する。また、本実施例の作動も、実施例１の場合と実質的に同じである。そのため、本実施例の作動説明にも、実施例１の作動説明が援用される。
【００６４】
そこで、本実施例の中間板３２の形状と取付け構成を説明する。先ず、本実施例の場合には、上記の各実施例のように、シャッタ地板１の軸１ｋの根元側に受け部１ｒを形成していない。また、本実施例の補助地板３は、上記の各実施例の場合よりも厚い板部材であり、露光開口の上方領域には、外形形状形成縁と開口部３ａとの中間部に、シャッタ地板１に立設されている押えピン１ｑと同様な押えピン３ｂを、中間板３２に向けて立設している。
【００６５】
更に、本実施例の中間板３２は、実際には、左右二つの部材に分離されている。即ち、本実施例の中間板３２は、実施例２の中間板２２と同様に、露光開口の下側領域が、開口部３２ａのＶ字状の縁３２ｃの頂点から外形形状形成縁３２ｄまでをスリット３２ｅで分断され、スリット３２ｅの両側となる部位が、シャッタ地板１の押えピン１ｑによって補助地板３側へ押されており、露光開口の上側領域は、開口部３２ａの縁から円弧状の外形形状形成縁３２ｂまでをスリット３２ｆで分断され、スリット３２ｆの両側となる部位が、補助地板３の押えピン３ｂによってシャッタ地板１側へ押されている。そして、左側となる部材は、シャッタ地板１の軸１ｋ，１ｍに丸孔を嵌合させており、右側となる部材は、シャッタ地板１の軸１ｎ，１ｐに丸孔を嵌合させている。
【００６６】
そのため、本実施例の場合にも、実施例２の場合と同様に、露光作動時において、後羽根のスリット形成羽根２０の端面が中間板３２の開口部３２ａの端面に衝突してしまうようなことがないほか、セット作動時に、先羽根と後羽根を高速で作動させても、先羽根のスリット形成羽根１４の一部が露光開口の上側領域に走り込むとき、そのスリット形成縁の端面が、中間板３２の開口部３２ａの端面に衝突してしまうようなことがない。
【符号の説明】
【００６７】
１                                シャッタ地板
１ａ，２ａ，３ａ，２２ａ．３２ａ  開口部
１ｂ，１ｃ                        長孔
１ｄ〜１ｋ，１ｍ，１ｎ，１ｐ      軸
１ｑ，３ｂ                        押えピン
１ｒ                              受け部
２，２２                          中間板
２ｂ，２ｄ，２２ｂ，２２ｄ，３２ｂ，３２ｄ  外形形状形成縁
２ｃ，２２ｃ，３２ｃ              縁
３                                補助地板
４，５                            緩衝部材
６，７                            駆動ピン
８                                間座
９，１０，１５，１６              アーム
１１〜１４，１７〜２０            羽根
２２ｅ，３２ｅ，３２ｆ            スリット
【図１】
0005719678.tif 000002
【図２】
0005719678.tif 000003
【図３】
0005719678.tif 000004
【図４】
0005719678.tif 000005
【図５】
0005719678.tif 000006
【図６】
0005719678.tif 000007
【図７】
0005719678.tif 000008
【図８】
0005719678.tif 000009